(57)【要約】【課題】家庭用ＶＴＲのように専用のコントロール端子が設けられていない記録再生装置を接続して、また、記録再生装置に記録された画像を簡単な操作で再生することができる超音波診断装置を提供する。【解決手段】ビデオ信号をオンオフするビデオオンオフ回路１２を設けることにより、録画開始、停止のための専用の制御端子を設けることなく画像記録装置の記録、停止を制御することが可能になり、ＲＳ−２３２Ｃを使用したインターフェース回路で構成した場合に比べ非常に簡単な構成で、診断画像を画像記録装置１３に記録することができる。【選択図】図１ 
2006026047.tif 000002
【特許請求の範囲】
【請求項１】
超音波の送受信を行う超音波探触子と、
前記超音波探触子を駆動するとともに超音波反射信号を受信しディジタルデータに変換する送受信回路部と、
前記ディジタルデータから画像データの生成を行う画像処理部と、
前記画像データをビデオ信号に変換するビデオ回路部と、
前記ビデオ信号を表示する表示部と、
前記ビデオ信号をオンオフするビデオオンオフ回路部と、
画像記録装置との間で前記ビデオ信号を入出力する映像信号入出力端子と、
前記画像記録装置の記録開始と停止の指示を入力する操作部と、
前記操作部から前記ビデオ信号の記録の開始と停止を指示する信号を受け取り前記ビデオオンオフ回路にビデオ信号のオンオフを指示する制御部とを備えた超音波診断装置。
【請求項２】
前記ビデオ信号をオンオフするビデオオンオフ回路の出力信号がオンとなった時に記録を開始し、出力信号がオフとなった時に記録を停止する画像記録装置を備えた請求項１に記載の超音波診断装置。
【請求項３】
前記操作部において特定の入力がされたときに入力に対応した固有の識別記号を発生する識別記号発生部と、
前記固有の識別記号を予め記憶しておく識別記号記憶部とを備え、
前記制御部は、前記識別記号発生部で発生した識別記号と、前記識別記号記憶部に記憶された識別記号とを比較して、一致したときに前記ビデオオンオフ回路の出力がオンとなる制御信号を発生する請求項１または２に記載の超音波診断装置。
【請求項４】
前記固有の識別記号は、前記操作部において被検体に固有の記号を入力したときに発生する識別記号である請求項３に記載の超音波診断装置。
【請求項５】
前記固有の識別記号は、前記操作部よりキャリパ測定の開始信号を入力した時に発生する識別記号である請求項３に記載の超音波診断装置。
【請求項６】
前記固有の識別記号は前記操作部より画像フリーズ信号を入力した時に発生する識別記号である請求項３に記載の超音波診断装置。
【請求項７】
予め設定された画像記録時間を記憶する記録時間記憶部を備え、
前記制御部は、記録開始から経過した時間を計測し、経過時間が前記記録時間記憶部に記憶された時間と一致したときに、前記ビデオオンオフ回路の出力がオフとなる制御信号を発生する請求項１から６のいずれかに記載の超音波診断装置。
【発明の詳細な説明】
【技術分野】
【０００１】
本発明は、ＶＴＲ（ビデオテープレコーダ）のような画像記録装置を接続可能な超音波診断装置に関する。
【背景技術】
【０００２】
超音波診断装置を用いて被検者の診断を行うには、超音波探触子をその被検者の患部に当てがい、操作部を操作しながらその被検者体内に超音波を送信し反射超音波を受信して受信信号を得、その受信信号にアナログ処理、およびデジタル処理を施してモニタ上に表示してその画像を観察しながら診断が行なわれる。
【０００３】
また、超音波診断装置を用いた診断システムにおいて、医師はモニタに表示された検査画面を直接観察しながら診断を行い、診断に対応する超音波画像やそれに伴う情報を画像記録装置に記録する場合や、被検者毎に画像記録装置に記録してある必要な画像を記録画面を再生しながら被検体に診断を下す場合もある。
【０００４】
このような用途に使用する画像記録装置としては、図５に示す業務用画像記録装置１１のように、映像信号入出力端子３８の他に、超音波診断装置から録画や再生モード等の制御信号を入力するための制御信号入出力端子３７を備えたものがある。
【０００５】
図５に示す業務用画像記録装置１１のような記録再生装置を接続可能な超音波診断装置において記録画像を録画する場合には、超音波診断装置から画像記録装置の制御信号入出力端子３７を介して画像記録装置を録画モードに設定する。
【０００６】
図５は従来の超音波診断装置における業務用画像記録装置１１との接続を示したブロック図である。
【０００７】
図５において、従来の超音波診断装置は、超音波探触子１、超音波探触子１の駆動と受信信号のディジタルデータへの変換を行う送受信回路部２、前記ディジタルデータから画像を生成する画像処理部３、画像データをビデオ信号に変換するビデオ回路部４、前記ビデオ信号を表示する表示部５、記録開始と記録停止の指示を入力する操作部７、ビデオ信号の記録の開始および停止を業務用画像記録装置１１に指示する画像記録装置制御部８を有している。また、超音波診断装置には画像を記録する業務用画像記録装置１１が、制御信号入出力端子９および映像信号入出力端子１０を介して接続されている。
【０００８】
具体的には、操作部７から録画開始が指示されると録画開始コマンドが制御部６から画像記録装置制御部８に送られ、画像記録装置制御部８では，制御部６から送られてきたコマンドをＲＳ−２３２Ｃシリアル通信プロトコルに変換し送信する。業務用画像記録装置１１の画像記録制御部３９では送られてきたＲＳ−２３２Ｃシリアル通信プロトコルを解読し業務用画像記録装置１１の画像記録部４０に対し録画開始の信号を送る。これにより録画を開始する。
【０００９】
同様に操作部７から録画停止が指示されると録画停止というコマンドが制御部６から画像記録装置制御部８に送られ、画像記録装置制御部８では、制御部６から送られてきたコマンドをＲＳ−２３２Ｃシリアル通信プロトコルに変換し送信する。画像記録装置１１の画像記録制御部３９では送られてきたＲＳ−２３２Ｃシリアル通信プロトコルを解読し画像記録部４０に対し録画停止の信号を送る。これにより録画を停止する。
【００１０】
ＲＳ−２３２Ｃでの通信でデータは、図６に示すように、スタートビット、データビット、パリティビット、ストップビット等で構成されている。この場合送り側と受け側で規格に準拠した送受信を行うことが可能な画像記録装置制御部８、画像記録制御部３９を有することが必要になる。
【特許文献１】実開平５−２１９１２号公報
【発明の開示】
【発明が解決しようとする課題】
【００１１】
しかしながら、図５に示す業務用画像記録装置１１のような装置を接続することを前提として構成された超音波診断装置では、画像記録装置との接続のため画像記録装置側に専用のコントロール端子が必要になるので、家庭用ＶＴＲのように専用のコントロール端子が設けられていない画像記録装置を接続することができず、接続可能な画像記録再生装置が限られてしまうという課題を有していた。また、超音波診断機においてもＲＳ−２３２Ｃ規格に準拠したインターフェース回路を備える必要があった。
【００１２】
本発明は、前記従来の課題を解決するもので、家庭用ＶＴＲのように専用のコントロール端子が設けられていない画像記録再生装置を接続し、簡単な操作で記録することができ、また画像記録装置とのインターフェース部を単なるオンオフ回路に簡略化できる超音波診断装置を提供することを目的とする。
【課題を解決するための手段】
【００１３】
上記課題を解決するために本発明の超音波診断装置は、超音波の送受信を行う超音波探触子１と、超音波探触子１を駆動するとともに超音波反射信号を受信しディジタルデータに変換する送受信回路部２と、前記ディジタルデータから超音波画像の生成を行う画像処理部３と、画像データをビデオ信号に変換するビデオ回路部４と、前記ビデオ信号を表示する表示部５と、前記ビデオ信号のオンオフを行うビデオオンオフ回路部１２と、画像記録装置との間で前記ビデオ信号を入出力する映像信号入出力端子１０と、記録開始と記録停止の指示を入力する操作部７と、記録の開始と停止を制御する制御部６と、を備えた構成としたものである。
【００１４】
本構成によって、家庭用ＶＴＲのように専用のコントロール端子が設けられていなくても、ビデオ信号がオンになれば録画を開始しビデオ信号がオフになれば録画を停止する画像記録再生装置を接続することにより簡単な制御で録画開始と停止を操作することができ、また画像記録装置とのインターフェース部を簡略化できる。
【発明の効果】
【００１５】
本発明の超音波診断装置によれば、超音波診断装置のビデオ信号出力をオン、オフする回路を設けることにより、家庭用ＶＴＲのように専用のコントロール端子が設けられていなくても、ビデオ信号がオンになれば録画を開始しビデオ信号がオフになれば録画を停止する画像記録装置１３の録画開始、停止を制御することができる。したがって、ＲＳ−２３２Ｃ等の専用のインターフェース部を持つ必要がなく、ビデオ信号をオン、オフするという簡単な制御で画像記録装置１３の録画開始、停止を制御可能となる。
【発明を実施するための最良の形態】
【００１６】
以下、本発明の実施をするための最良の形態について図面を参照しながら説明する。
【００１７】
(第１の実施の形態)
図１は本発明にかかる第１の実施の形態における構成を示すブロック図である。
【００１８】
図１において本発明の超音波診断装置は、超音波探触子１、超音波探触子１の駆動と受
信信号のディジタルデータへの変換を行う送受信回路部２、前記ディジタルデータから画像を生成する画像処理部３、画像データをビデオ信号に変換するビデオ回路部４と、前記ビデオ信号を表示する表示部５、ビデオ信号のオンオフを行うビデオオンオフ回路部１２と、画像記録装置との間で前記ビデオ信号を入出力する映像信号入出力端子１０と、記録開始と記録停止の指示を入力する操作部７と、記録の開始と停止を制御する制御部６を備えた構成をしている。また、超音波診断装置には画像を記録する画像記録装置１３が接続されている。
【００１９】
以下、この構成による超音波診断装置について、図１の各ブロックを詳細に示した図２を用いてその動作を説明する。医師は、超音波探触子１を被検者に当て被検者の診察部に超音波パルスビームを送信するとともに、被検者内部の組織で反射した超音波を超音波探触子１で受信し電気信号に変換する。超音波探触子１は、コネクタ等からなる探触子装着部（図示せず）を介して超音波診断装置本体の送受信回路部２と接続されている。
【００２０】
送受信回路部２は、制御信号と最終段のＡ／Ｄ変換器の出力を除き、アナログ信号を処理する部分であり、被検者内部のどの方向に超音波パルスビームを送信するかを制御するビーム走査制御部１４と、ビーム走査制御部１４からの、走査方向を指示する信号を受けて駆動回路およびビームフォーマを制御する送受信遅延制御部１５、送受信遅延制御部１５の制御を受けて超音波探触子１から所定の走査線に沿った方向に超音波パルスビームが送信されるように超音波探触子１を駆動する駆動回路１６、超音波探触子１でピックアップされた信号を受信する受信回路１７、受信回路から出力された受信信号に基づいて、被検者内部の所定の走査線に沿う方向の情報が強調されるように受信信号を遅延して互いに加算するビームフォーマ１８、ビームフォーマから出力されたビームフォーミング後の受信信号に、検波やフィルタリング処理等のアナログ信号処理を行うアナログ信号処理回路１９、およびアナログ信号処理回路から出力されたアナログ信号をデジタル信号に変換するＡ／Ｄ変換器２０が備えられている。
【００２１】
送受信回路部２から出力された信号は、画像処理部３に入力される。画像処理部３は、送受信回路部２から受け取った信号を、画像出力用のラスタ信号に変換するデジタルスキャンコンバータ（ＤＳＣ）２１、ＤＳＣ２１から出力された信号に周波数強調処理、階調変換処理等のデジタル画像処理を行う画像処理回路２２を備えている。
【００２２】
なお、送受信回路部２部および画像処理部３におけるアナログ信号とデジタル信号の区別は実施の形態に様々な形を取ることができ、本実施例で示したアナログ信号により処理を行う検波やフィルタリング機能はデジタル処理で行うこともできる。
【００２３】
画像処理部３から出力された信号は、ビデオ回路部４に入力される。ビデオ回路部４は、画像処理部３から入力された信号や、ＶＴＲ等の画像記録装置１３から出力された信号をモニタ等の表示部５に表示し、画像処理部３から出力された信号に基づく情報を画像記録装置１３へ出力するための処理を行う部分である。具体的には、ビデオ信号を発生させるビデオ信号発生部２３、画像処理部３から入力された信号のうちの特定の画像フレームの信号を蓄積して静止画を得るフリーズメモリ２４、画像記録装置１３への出力信号をアナログ信号に変換し、画像記録装置１３からの入力信号をデジタル信号に変換するビデオＤＡ／ＡＤ部２５、画像処理部３から入力された画像と画像記録装置１３から入力された画像をスーパーインポーズしたり、それらの画像に文字をインポーズすることによりモニタに表示する画像を構成するインポーズ部２６、画像処理部３から入力された信号や画像記録装置１３から入力された信号をモニタに適合するＮＴＳＣ信号ないしＰＡＬ信号やＶＧＡ信号等に変換する信号変換部２７を備えている。
【００２４】
制御部６は、超音波診断装置の全体、送受信回路部２、画像処理部３、およびビデオオ
ンオフ回路部１２の制御を行う部分である。
【００２５】
操作部７には、操作キー２８やトラックボール２９、モニタ用ランプ３０、記録開始スイッチ３１、記録停止スイッチ３２等が備えられており、操作部７の操作パネルの操作により、制御部６に対し、超音波診断装置をどのように制御するかを表わす制御信号が出力される。
【００２６】
医師が、画像記録装置１３に画像を記録する際、超音波探触子１を手で移動させながら表示部５に画像を表示させ、表示された画像が目的の領域であると判断した場合は、操作部７に備えられた記録開始スイッチ３１を押す。記録開始信号は、制御部６に送られ、録画開始というコマンドが制御部６からビデオオンオフ回路部１２に送られる。このコマンドによりビデオオンオフ回路１２を構成するメカニカルリレー３３のオン、オフ端子への入力がオン信号となるのでメカニカルリレー３３はオン状態となりビデオ信号を画像記録装置１３に送る。ここで、本実施の形態の超音波診断装置に接続される画像記録装置は、入力ビデオ信号を検出し、ビデオ信号がある場合には記録を行い、ビデオ信号がない場合には記録を停止する機能を有している画像記録装置である。したがって、画像記録装置１３は超音波診断装置の映像信号入出力端子１０を介してビデオ信号が入力されると入力ビデオ信号を検出し、画像の記録を開始する。
【００２７】
また、医師が超音波探触子１を手動で移動させながら画像を表示させ、所望の領域が記録されたと判断した場合は、記録停止スイッチ３２を押す。録画停止というコマンドが制御部６からビデオオンオフ回路部１２に送られる。このコマンドによりビデオオンオフ回路部１２を構成するメカニカルリレー３３のオン、オフ端子への入力がオフ信号となるのでメカニカルリレー３３はオフ状態となり画像記録装置１３に何も信号を送らない。画像記録装置１３はビデオ信号が送られてこないので画像の記録を停止する。
【００２８】
かかる構成によれば、ビデオオンオフ回路部１２を設けることにより、録画開始、停止のための専用の制御端子を設けることなく画像記録装置の記録、停止を制御することが可能になりＲＳ−２３２Ｃを使用した場合に比べ非常に簡単な構成で、画像を画像記録装置に記録することができる。
【００２９】
なお、本実施の形態においては、記録開始スイッチ３１と記録停止スイッチ３２を個別に設けているが、１つのスイッチで両方の機能を兼ねてもよい。また、専用のスイッチを超音波診断装置に持たせなくとも、診断機能操作用の操作キー２８の機能がプログラム可能であれば、操作キー２８の中の1つまたは複数のキーに記録開始、停止機能を割り当てても良い。
【００３０】
また、ビデオ信号のビデオオンオフ回路部１２は、本実施の形態のようにメカニカルリレーを用いても良いし、半導体リレーを用いても良いし、トランジスタやサイリスタなどの半導体によるスイッチ回路で構成しても良いし、集積回路によるアナログスイッチ等を用いてもよい。
【００３１】
また、本実施の形態においては、画像記録装置としてＶＴＲを用いた場合について説明したがＶＴＲ以外にもＤＶＤレコーダ、ＨＤＤレコーダ等様々な画像記録装置の利用が可能となる。この場合において、画像記録装置は記録した画像を再生することや、編集することもできる機能を有している。
【００３２】
また、本実施の形態において超音波診断装置が扱う画像データは静止画の場合もあるし、動画などの映像の場合もあるし、画像や映像に音声が含まれる場合もある。
【００３３】
さらに本実施の形態においては、画像記録装置１３を超音波診断装置に接続して画像記録を行う場合について説明したが、本実施の形態に示した、入力ビデオ信号を検出してビデオ信号の有無により記録の開始及び停止を行う機能を有する画像記録装置を、超音波診断装置に組み込んだ構成としても良い。
【００３４】
(第２の実施の形態)
図３は本発明の超音波診断装置の第２の実施の形態を示すブロック図であり、図１と同じ構成には同一番号を付してある。
【００３５】
本実施の形態では、操作部において特定の入力がされたときに入力に対応した固有の識別記号を発生する識別記号発生部３５と、被検者に固有の識別記号を記憶する識別記号記憶部３４を備えたことが異なるのみで他の構成は第２の実施の形態と同じである。この構成による超音波診断装置について、図３を用いてその動作を説明する。
【００３６】
本実施の形態においては、医師は予め被検者に固有の識別記号を識別記号記憶部３４登録しておく。ここで、登録される識別記号は被検者に固有の記号に対応したものであり、複数の被検者の識別番号を登録することができる。被検者に固有の記号とは、例えば被検者ＩＤのような数字やアルファベットから構成される記号であっても良いし、被検者の氏名であっても良い。また、登録される識別記号が被検者ＩＤや被検者の氏名そのものである場合もある。さらに、登録の方法は、医師が操作部から入力して登録しても良いし、予め被検者に固有の識別記号が記憶された記録媒体のデータを読み込み登録しても良い。
【００３７】
次に医師は診断する部位を特定して診断を開始するときに、被検者ＩＤを操作部７から入力する。操作部から入力された信号が識別記号発生部３５に送られ、被検者ＩＤ対応した固有の識別記号が発生する。被検者ＩＤ対応した固有の識別記号は制御部６に送られ、制御部６の識別記号記憶部３４に予め記憶されている識別記号と一致した時にビデオオン信号が制御部６より出力される。オンオフ制御部はビデオオン信号を受け取るとビデオ信号をオンすることにより、実施の形態１と同様の動作で画像記録装１３の録画が開始される。
【００３８】
かかる構成によれば、識別記号発生部３５と、識別記号記憶部３４を設けることにより、医師が被検者ＩＤ入力の操作に対応して記録開始することを登録しておくことにより、医師が診断中に診断装置に設けられた画像の記録開始スイッチを操作することなく画像記録装置の記録開始を制御することが可能になる。
【００３９】
(第３の実施の形態)
本実施の形態では、識別番号発生部３５と識別記号記憶部３４を備えている点で第２の実施の形態と同じである。この構成による超音波診断装置について、図３を用いてその動作を説明する。
【００４０】
本実施の形態では、医師は予め超音波診断装置の登録モードにおいて特定の診断部位の長さ、容積等の計測するキャリパ測定モードに固有の識別記号を、第２の実施の形態と同様の操作で識別記号記憶部３４登録しておく。
【００４１】
次に、医師が通常の画像診断モードにて診断を行った後、特定の診断部位の長さ、容積等の計測するときに操作部７の中にあるキャリパ測定スイッチ（図示せず）をオンにする。この操作信号が識別記号発生部３５に送られ、キャリパ測定モードに対応した固有の識別記号が発生する。キャリパ測定モード識別記号は制御部６に送られ、制御部６の識別記号記憶部３４に予め記憶されている識別記号と一致した時にビデオオン信号が制御部６より出力される。オンオフ制御部はメカニカルリレーオン信号を受け取るとビデオ信号をオ
ンすることにより、実施の形態１と同様の動作で画像記録装１３の録画が開始される。
【００４２】
かかる構成によれば、識別記号発生部３５と、識別記号記憶部３４を設けることにより、診断部位の長さ、容積を計測するキャリパ測定モードに入る操作に対応して発生する識別記号を予め登録しておくことにより、キャリパ測定モードを選択した時に、画像の記録開始スイッチを操作することなく画像記録装置の記録開始を制御することが可能になる。
【００４３】
また、記録開始だけでなく、キャリパ測定スイッチをオフにしてキャリパ測定モードを解除したらビデオ信号をオフし録画を停止させることも、キャリパ測定モード解除に固有の識別記号を予め識別記号記憶部３４に登録しておくことで可能になる。
【００４４】
(第４の実施の形態)
本実施の形態も、識別記号発生部３５と識別記号記憶部３４を備えている点で第２の実施の形態と同じである。この構成による超音波診断装置について、図３を用いてその動作を説明する
本実施の形態においては、医師は予め超音波診断装置の登録モードにおいて画像フリーズモードに固有の識別記号を第２、第３の実施の形態と同様の操作で識別記号記憶部３４登録しておく。
【００４５】
次に、医師が画像診断モード中に、画像をフリーズ（静止）したいときに操作部７の中にある画像フリーズスイッチ（図示せず）をオンにする。この操作信号が識別記号発生部３５に送られ、画像をフリーズモードに対応した固有の識別記号が発生する。画像をフリーズモード識別記号は制御部６に送られ、制御部６の識別記号記憶部３４に予め記憶されている識別記号と一致した時にビデオオン信号が制御部６より出力される。オンオフ制御部はメカニカルリレーオン信号を受け取るとビデオ信号をオンすることにより、実施の形態１と同様の動作で画像記録装１３の録画が開始される。
【００４６】
かかる構成によれば、識別記号発生部３５と、識別記号記憶部３４を設けることにより、画像フリーズモードに入る操作に対応して発生する識別記号を予め登録しておくことにより、医師が診断中に注目したい画像を発見し画像フリーズの設定を行った時に、画像の記録開始スイッチを操作することなく画像記録装置の記録開始を制御することが可能になる。
【００４７】
なお、記録開始だけでなく、画像フリーズスイッチをオフにしてフリーズを解除したらビデオ信号をオフし録画を停止させることも、画像フリーズ解除の識別記号を予め識別記号記憶部３４に登録しておくことで可能になる。
【００４８】
また、第３と第４の実施の形態においては、予め登録する測定モードをキャリパ測定モード及び画像フリーズモードの例で説明したが、画像を記録することが診断に有効なモードであればキャリパ測定モードや画像フリーズモードだけに限らない。
【００４９】
(第５の実施の形態)
図４は本発明の超音波診断装置の第５の実施の形態を示すブロック図であり、図１、図３と同じ構成には同一番号を付してある。
【００５０】
本実施の形態では、記録時間記憶部３６を備えたことが異なるのみで他の構成は実施の形態2から４と同じである。この構成による超音波診断装置について、図４を用いてその動作を説明する
本実施の形態においては、操作部７の記録開始スイッチが押されると、操作部から記録開始信号が制御部に送られ、制御部はビデオオンオフ回路部のビデオ信号オンを指示する
。ビデオオンオフ回路部がビデオ信号オンを受け取るとビデオ信号をオンすることにより、実施の形態１と同様の動作で画像記録装１３の録画が開始される。制御部に備えた記録時間記憶部の時間が経過するまでビデオオンオフ信号は、オンのまま保持され設定時間経過後ビデオオンオフ信号はオフとなり、画像記録装置は記録を停止する。
【００５１】
かかる構成によれば、記録時間記憶部３６を備えたことにより、診断画像の記録を開始してから予め登録した時間が経過した時は、停止スイッチを操作することなく診断画像の記録を停止することが可能になる。
【００５２】
なお、画像記録装置１３の記録開始は、操作部７の記録開始スイッチが押されたときに限らず、第２の実施の形態から第４の実施の形態に示した操作で開始されたときであっても、識別記号発生部３５からの識別記号が識別記号記憶部３４に記憶された識別記号と一致して記録開始された時からの時間を計測することにより同様の動作が可能である。
【産業上の利用可能性】
【００５３】
本発明はビデオ信号オンオフ回路１２を設けることにより、録画開始、停止のための専用の制御端子を設けることなく画像記録装置の記録、停止を制御することが可能になりＲＳ−２３２Ｃを使用した場合に比べ非常に簡単な構成で、画像が断層画像記録部に記録することができるという効果を有し、画像記録装置を接続可能な超音波診断装置として有用である。
【図面の簡単な説明】
【００５４】
【図１】本発明の第１の実施の形態における超音波診断装置のブロック図
【図２】本発明の第１の実施の形態における超音波診断装置の詳細ブロック図
【図３】本発明の第２ないし第４の実施の形態における超音波診断装置のブロック図
【図４】本発明の第５の実施の形態における超音波診断装置のブロック図
【図５】従来の超音波診断装置のブロック図
【図６】従来の超音波診断装置の画像記録装置制御データの構成図
【符号の説明】
【００５５】
１  超音波探触子
２  送受信回路部
３  画像処理部
４  ビデオ回路部
５  表示部
６  制御部
７  操作部
８  画像記録装置制御部
９  制御信号入出力端子
１０  映像信号入出力端子
１１  業務用画像記録装置
１２  ビデオオンオフ回路部
１３  画像記録装置
１４  ビーム走査制御部
１５  送受信遅延制御部
１６  駆動回路
１７  受信回路
１８  ビームフォーマ
１９  アナログ信号処理回路
２０  Ａ／Ｄ変換器
２１  デジタルスキャンコンバータ
２２  画像処理回路
２３  ビデオ信号発生部
２４  フリーズメモリ
２５  ビデオＤＡ／ＡＤ部
２６  インポーズ部
２７  信号変換器
２８  操作キー
２９  トラックボール
３０  モニタ用ランプ
３１  記録開始スイッチ
３２  記録停止スイッチ
３３  メカニカルリレー
３４  識別記号記憶部
３５  識別記号発生部
３６  記録時間記憶部
３７  制御信号入出力端子
３８  映像信号入出力端子
３９  画像記録制御部
４０  画像記録部
【図１】
2006026047.tif 000003
【図２】
2006026047.tif 000004
【図３】
2006026047.tif 000005
【図４】
2006026047.tif 000006
【図５】
2006026047.tif 000007
【図６】
2006026047.tif 000008